(57)【要約】  接続部材（ＶＥ）の接触接続のための接触面（ＫＦ）を有する第１のプリント配線板（ＥＬＰ）を有しており、接触面（ＫＦ）は中央の接触点と、中央の接触点を取り囲む同心的な環状部とを有しており、第２のプリント配線板（ＺＬＰ）を有しており、第２のプリント配線板（ＺＬＰ）と第１の面において電気的に接触接続されていて、かつ、前記第１の面に相対している第２の面において、第１のばね部材（ＦＥ１）と少なくとも１つの第２のばね部材（ＦＥ２，ＦＥ３）とを有する接続部材（ＶＥ）を有しており、第１のばね部材（ＦＥ１）は第１のプリント配線板（ＥＬＰ）の前記中央の接触点と電気的に接触接続されており、少なくとも１つの第２のばね部材（ＦＥ２，ＦＥ３）は第１のプリント配線板（ＥＬＰ）の前記同心的な環状部と電気的に接触接続されている、アッセンブリ。
2011503860.tif 000002
【特許請求の範囲】
【請求項１】
−接続部材（ＶＥ）の接触接続のための接触面（ＫＦ）を有する第１のプリント配線板（ＥＬＰ）を有しており、接触面（ＫＦ）は中央の接触点と、該中央の接触点を取り囲む同心的な環状部とを有しており、
−第２のプリント配線板（ＺＬＰ）を有しており、
−第１の面において第２のプリント配線板（ＺＬＰ）と電気的に接触接続されていて、かつ、前記第１の面に相対している第２の面において、第１のばね部材（ＦＥ１）と少なくとも１つの第２のばね部材（ＦＥ２，ＦＥ３）とを有する接続部材（ＶＥ）を有しており、第１のばね部材（ＦＥ１）は第１のプリント配線板（ＥＬＰ）の前記中央の接触点と電気的に接触接続されており、少なくとも１つの第２のばね部材（ＦＥ２，ＦＥ３）は第１のプリント配線板（ＥＬＰ）の前記同心的な環状部と電気的に接触接続されている、
ことを特徴とする、アッセンブリ。
【請求項２】
接続部材（ＶＥ）は第１のばね部材（ＦＥ１）と２つの第２のばね部材（ＦＥ２，ＦＥ３）とを有しており、第１のばね部材（ＦＥ１）は前記中央の接触点に電気的に接触接続されており、２つの第２のばね部材（ＦＥ２，ＦＥ３）は前記同心的な環状部と電気的に接触接続されていることを特徴とする、請求項１記載のアッセンブリ。
【請求項３】
第２のばね部材（ＦＥ２）は第１のばね部材（ＦＥ１）を同心的に取り囲むことを特徴とする、請求項１記載のアッセンブリ。
【発明の詳細な説明】
【技術分野】
【０００１】
本発明は少なくとも２つのプリント配線板のアッセンブリに関する。
【０００２】
プリント配線板には複数の電子構成素子が実装されている。電気機器が２つのプリント配線板を有する場合、電気機器の機能全般を発揮するために、２つのプリント配線板を必要な場合には互いに電気的に接続する必要がある。
【０００３】
２つのプリント配線板、例えば２つのプリント配線板に設けられた高周波構成群、又は一方のプリント配線板に設けられた高周波構成群及び他方のプリント配線板に設けられた制御構成群の電気的な接続は、接続部材、例えばコネクタにより行われる。この接続部材は通常、プリント配線板に一方の面においてろう付けされる。接続部材は他方の面において通常ばね部材を有している。これらのばね部材は他のプリント配線板に接触接続のために圧着される。
【０００４】
複数の接続部材がある。ばね部材のタイプ、形状、サイズ、数等に応じて、接触接続したい他のプリント配線板の接触面を、確実な接触接続を保証するために各接続部材に幾何学的に合わせる必要がある。
【０００５】
接続部材の規定の形状、サイズ等は、接触接続したい他のプリント配線板の接触面の構成を制限する。
【０００６】
本発明の根底にある技術的な課題は、種々異なる形状及びサイズの複数の接続部材を使用することができ、接続部材と２つのプリント配線板との確実な接触接続を保証する、第１のプリント配線板と、接続部材と、第２のプリント配線板とのアッセンブリを提供することである。
【０００７】
上記課題は、
−接続部材の接触接続のための接触面を有する第１のプリント配線板を有し、接触面は中央の接触点と、この中央の接触点を取り囲む同心的な環状部とを有しており、
−第２のプリント配線板を有し、
−第１の面において第２のプリント配線板に電気的に接触接続されていて、第１の面に相対する第２の面において、第１のばね部材と少なくとも１つの第２のばね部材とを有する接続部材を有し、第１のばね部材は第１のプリント配線板の中央の接触点に電気的に接触接続されており、少なくとも１つの第２のばね部材は第１のプリント配線板の同心的な環状部に電気的に接触接続されている、
アッセンブリにより解決される。
【０００８】
本発明による解決手段により、第１のプリント配線板と、接続部材と、第２のプリント配線板とのアッセンブリがもたらされる。本発明のアッセンブリにおいては、種々異なる形状及びサイズの複数の接続部材を使用することができ、本発明のアッセンブリは接続部材と２つのプリント配線板との間の確実な接触接続を保証する。
【０００９】
本発明の別の構成が従属請求項に記載されている。
【００１０】
有利には、アッセンブリは、接続部材が第１のばね部材と第２のばね部材とを有していることにより改良される。第１のばね部材は中央の接触点に電気的に接触接続されていて、２つの第２のばね部材は同心的な環状部に電気的に接触接続されている。これにより３つのばね部材を備えた接続部材をアッセンブリのために使用することができる。本構成においては個々のばね部材はピン形状を有している。
【００１１】
有利には、アッセンブリは前段落に対して択一的に、第２のばね部材が第１のばね部材を同心的に取り囲むことにより改良される。これにより、アッセンブリにおいてよく使用される同軸的な接続部材を使用することができる。
【００１２】
アッセンブリに他のプリント配線板を追加することもできる。それぞれ各２つのプリント配線板と、これらのプリント配線板を互いに接続する接続部材とが、上述のように本発明に係るアッセンブリを形成する。
【図面の簡単な説明】
【００１３】
【図１】３つのばね部材を備えた接続部材を有するアッセンブリを示す図である。
【図２】本発明における接触面を備えた第１のプリント配線板を示す図である。
【図３】図１に記載のアッセンブリと、図２に記載の接触面との概観図である。
【図４】第２のプリント配線板がない状態の図３に記載のアッセンブリであって、図３の接続部材に対して択一的な接続部材を備えるアッセンブリを示す図である。
【００１４】
本発明の別の利点は、添付の図面に関連して本発明を４つの実施の形態に基づいて説明している、以下の記載から明らかになる。
【００１５】
図１には、第１のプリント配線板ＥＬＰと、第２のプリント配線板ＺＬＰと、３つのばね部材ＦＥ１，ＦＥ２，ＦＥ３を有する接続部材ＶＥとを備えたアッセンブリが示されている。接続部材ＶＥは一方の面、つまりヘッドにおいて第２のプリント配線板ＺＬＰと電気的に接触接続されている。接続部材ＶＥの３つのばね部材ＦＥ１，ＦＥ２，ＦＥ３はそれぞれ細長い形状、いわゆるピン形状を有している。３つの各ばね部材ＦＥ１，ＦＥ２，ＦＥ３は第１のプリント配線板ＥＬＰに電気的に接触接続されている。
【００１６】
「ばね弾性的」なばね部材ＦＥ１，ＦＥ２，ＦＥ３の使用は本発明にとっては必ずしも必要ではない。通常用いる言葉では部材又は接続突設部とむしろ称呼される、硬質のばね部材を使用することもある。
【００１７】
しかし具体的には「ばね弾性的」なばね部材ＦＥ１，ＦＥ２，ＦＥ３が使用される。その理由は、特に第２のプリント配線板ＺＬＰに接続されている接続部材ＶＥと、第１のプリント配線板ＥＬＰとの組立てが圧着接触接続により実施される場合に、「ばね弾性的」なばね部材ＦＥ１，ＦＥ２，ＦＥ３は接続部材ＶＥと第１のプリント配線板ＥＬＰとの確実な接触接続を保証するからである。
【００１８】
「ばね弾性的」なばね部材ＦＥ１，ＦＥ２，ＦＥ３は、接触接続部が破断することなく第１及び第２のプリント配線板ＥＬＰ，ＺＬＰとの間の回動又は移動を良好に補償できる限りは確実な接触接続部も保証する。
【００１９】
本発明は、具体的には、当業者に公知の高周波ボード間接続プリント配線板に適していることが望まれる。
【００２０】
図２には、図１に記載の接続部材ＶＥの接触接続のための接触面ＫＦを備えた第１のプリント配線板ＥＬＰが示されている。接触面ＫＦは中央の接触点と、この中央の接触点を取り囲む同心的な環状部とを有している。
【００２１】
図３には図１に記載のアッセンブリと、図２に記載の第１のプリント配線板ＥＬＰの接触面ＫＦとの概観図が示されている。接続部材ＶＥは表面において第２のプリント配線板ＺＬＰと電気的に接触接続されている。接続部材ＶＥの第１の面に相対する面、つまり裏面に、３つのばね部材ＦＥ１，ＦＥ２，ＦＥ３が設けられている。第１のばね部材ＦＥ１は第１のプリント配線板ＥＬＰの中央の接触点と電気的に接触接続されている。２つの第２のばね部材ＦＥ２，ＦＥ３は第１のプリント配線板ＥＬＰの同心的な環状部と電気的に接触接続されている。
【００２２】
中央の接触点の幅及び同心的な環状部の幅の極めて適切な選択により、ピン形状のばね部材ＦＥ１，ＦＥ２，ＦＥ３を備えた公知の複数の接続部材ＶＥを使用することができる。接続部材ＶＥが単に１つの第１のばね部材ＦＥ１及び１つの第２のばね部材ＦＥ２，ＦＥ３だけを有している場合も本発明に含まれることになる。図３のばね部材ＦＥ３は設けられていない（図３には記載されていない）ことになる。
【００２３】
本発明にとって重要なことは、プリント配線板ＥＬＰ，ＺＬＰ（若しくは第２のプリント配線板ＺＬＰに堅固に接続されている接続部材ＶＥ）が互いに（最高３６０°まで）回動しても接触接続したい場合に、この回動が第１のプリント配線板ＥＬＰの接触面ＫＦの形状に基づき容易に可能である、ということである。既述したように、「ばね弾性的」なばね部材ＦＥ１，ＦＥ２，ＦＥ３は横方向及び鉛直方向において、プリント配線板ＥＬＰ，ＺＬＰの間における比較的小さな間隔公差も補償する。具体的には大抵、第２のプリント配線板ＺＬＰと堅固に接続されている接続部材ＶＥの形状及び大きさは規定されているので、第１のプリント配線板ＥＬＰの接触面ＫＦの特別な幾何学的形態により、種々異なって規定された接続部材ＶＥの接触接続は、第１のプリント配線板ＥＬＰのレイアウトを変更する必要なく、可能になる。
【００２４】
図４には、第２のプリント配線板ＺＬＰがない状態の、図３に記載した接続部材に対して択一的な接続部材ＶＥを備えたアッセンブリが示されている。接続部材ＶＥは、図３に記載したように、表面において第２のプリント配線板ＺＬＰと接続される（図示せず）。接続部材ＶＥの形状を見やすくするために、接続部材ＶＥの上側の部分及び第２のプリント配線板ＺＬＰとの接触接続部は図示しない。
【００２５】
接続部材ＶＥは２つのばね部材ＦＥ１，ＦＥ２を有している。第１のばね部材ＦＥ１は中央のピンとして構成されていて、第２のばね部材ＦＥ２は第１のばね部材ＦＥ１を同心的に取り囲む。接続部材ＶＥの本実施の形態のタイプは、一般的に同軸的な接続部材とも称呼される。この実施の形態においても、ばね部材ＦＥ１，ＦＥ２及び接触面ＫＦの間の接触接続は、ばね部材ＦＥ１，ＦＥ２若しくは接続部材ＶＥに堅固に接続されている第２のプリント配線板ＺＬＰを回動させて第１のプリント配線板ＥＬＰに接触接続したい場合にも可能である。前記図面に関して記載してきた、接触面ＫＦ若しくはばね部材ＦＥ１，ＦＥ２の構成に対する他の実施の形態は、図４の接続部材ＶＥに対応する。
【００２６】
本発明は、特別な実施の形態に限定されるものではなく、本発明の本質を使用する限りは明示されていない他の形態も含む。特に、接触面ＫＦが正確に同心的な環状部を有しておらず、例えば楕円形又は多角形の環状部を有している場合も含まれる。それでもばね部材の幅の寸法設定に基づいて本発明による効果は達成される。
【図１】
2011503860.tif 000003
【図２】
2011503860.tif 000004
【図３】
2011503860.tif 000005
【図４】
2011503860.tif 000006
【国際調査報告】
2011503860.tif 000007
2011503860.tif 000008
2011503860.tif 000009
2011503860.tif 000010